(57)【要約】【課題】セキュリティを維持しつつ、製本完成品のオリジナルの確実な出力を実現する画像形成システムを提供する。【解決手段】画像形成システム１００は、製本装置１０４における製本完成品の表紙又は裏表紙のシート固有情報を読み取るシート固有情報読取手段１０６、１０７と、シート固有情報読取手段によって読み取られたシート固有情報を画像データとリンクさせて記憶するメモリ部４０３とを備える。また、製本完成品のオリジナル画像を出力する際は、メモリ部４０３の記憶情報に基づいて画像形成装置１０３にて画像出力するよう制御するＣＰＵ４０２を備える。【選択図】図３
2008286867.tif 000002
【特許請求の範囲】
【請求項１】
画像読取装置、画像形成装置及び製本装置が接続される画像形成システムにおいて、
画像データに基づいて製本完成品を作成する際に使用されたシートのシート固有情報を読み取るシート固有情報読取手段と、
前記シート固有情報読取手段によって読み取られた前記シート固有情報を前記画像データと関連させて記憶する記憶手段と、
前記製本完成品の基となった前記画像データを出力する際は、前記製本完成品に使用されたシートの前記シート固有情報に基づいて前記記憶手段に前記シート固有情報と関連つけて記憶された前記画像データを前記画像形成装置にて出力するよう制御する制御手段と、
を備えることを特徴とする画像形成システム。
【請求項２】
前記画像データは、前記画像形成装置又は前記画像形成装置に接続されるサーバに格納されることを特徴とする請求項１記載の画像形成システム。
【請求項３】
前記制御手段は、前記製本完成品の基となった前記画像データを出力する際は、前記記憶手段に記憶された前記シート固有情報に加えて、前記画像形成システムの操作者の個人認証情報を参照することを特徴とする請求項１記載の画像形成システム。
【請求項４】
前記シート固有情報読取手段は、前記製本完成品を作成する際に使用されたシートの表紙又は裏表紙のシート固有情報を読み取ることを特徴とする請求項１記載の画像形成システム。
【請求項５】
前記シート固有情報読取手段は、前記シート固有情報として紙紋を検知する紙紋検知ユニットであることを特徴とする請求項４記載の画像形成システム。
【請求項６】
前記紙紋検知ユニットは、前記画像読取装置及び前記製本装置に配置されていることを特徴とする請求項５記載の画像形成システム。
【請求項７】
前記紙紋検知ユニットは、レーザ光を照射するレーザ照射手段と、該レーザ照射手段によるレーザ光を受光するイメージセンサで構成されていることを特徴とする請求項６記載の画像形成システム。
【発明の詳細な説明】
【技術分野】
【０００１】
本発明は、製本装置の接続が可能な画像形成システムに関するものである。
【背景技術】
【０００２】
デジタル画像処理装置などの機能の発展により、ネットワークを介して不正アクセスして機密原稿等を出力する等の不正操作を防止するために、画像処理装置を操作したユーザに対する管理の必要性が生じる。そのため、個人認証を行うことでユーザの特定やセキュリティの向上を図っている。
【０００３】
また、個人認証（紙紋認証）を行う画像処理装置が、特許文献１に開示されている。特許文献１によれば、画像データに電子透かし情報があるか否かを判定し、その情報から複写の対象となっている文書がマル秘文書である否かを判定し、マル秘文書であれば複写を行う者の個人認証を行い、一致したときのみ画像のプリント行う。
【特許文献１】特開２００１−２２２３９号公報
【発明の開示】
【発明が解決しようとする課題】
【０００４】
しかしながら、上記従来の構成においては以下のような問題があった。
（１）製本された製本完成品を複写する際、製本の.処理をされた部分を再度、分離して１枚づつのシートにばらす必要がある。
（２）その場合製本完成品に落丁が生じていた場合に落丁したまま複写されてしまう。
（３）製本完成品を作成するにあたり使用されたオリジナル画像が変更されていても上記複写した際の出力に反映されない。
【０００５】
本発明の目的は、セキュリティを維持しつつ、製本完成品のオリジナルの確実な出力を実現する画像形成システムを提供することにある。
【課題を解決するための手段】
【０００６】
上記目的を達成するために、請求項１記載の画像形成システムは、画像読取装置、画像形成装置及び製本装置が接続される画像形成システムにおいて、画像データに基づいて製本完成品を作成する際に使用されたシートのシート固有情報を読み取るシート固有情報読取手段と、前記シート固有情報読取手段によって読み取られた前記シート固有情報を前記画像データと関連させて記憶する記憶手段と、前記製本完成品の基となった前記画像データを出力する際は、前記製本完成品に使用されたシートの前記シート固有情報に基づいて前記記憶手段に前記シート固有情報と関連つけて記憶された前記画像データを前記画像形成装置にて出力するよう制御する制御手段と、を備えることを特徴とする。
【発明の効果】
【０００７】
本発明の画像形成システムは、画像データに基づいて製本完成品を作成する際に使用されたシートのシート固有情報を読み取るシート固有情報読取手段を備える。また、シート固有情報読取手段によって読み取られたシート固有情報を画像データと関連させて記憶する記憶手段を備える。さらに、製本完成品の基となった画像データを出力する際は、製本完成品に使用されたシートのシート固有情報に基づいて記憶手段にシート固有情報と関連つけて記憶された画像データを画像形成装置にて出力するよう制御する制御手段を備える。
【０００８】
このように、シート固有情報を画像データとリンクさせて、製本完成品のオリジナル画像を出力するので、セキュリティを維持しつつ、製本完成品のオリジナルの確実な出力を実現することができる。
【発明を実施するための最良の形態】
【０００９】
以下、本発明の実施の形態を図面を参照しながら詳細に説明する。
【００１０】
図１は、本発明の実施の形態に係る画像形成システムの構成図である。
【００１１】
図１において、画像形成システム１００は、原稿の画像を読み取る画像読取装置（スキャナ装置）１０１、画像形成対象となるシートＳを給紙する給紙装置１０２を備える。また、画像読取装置１０１によって読み取られた画像情報に基づいてシートＳに画像を形成する画像形成装置１０３、画像形成後のシートＳを製本する製本装置１０４、製本後の製品を仕分ける仕分け収納装置１０５を備える。
【００１２】
また、画像形成システム１００は、画像読取装置１０１に配置されたシートＳの固有情報読取手段としての第１紙紋検知ユニット（シート固有情報読取手段）１０６を備える。また、製本装置１０４内に配置された第２紙紋検知ユニット１０７（シート固有情報読取手段）を備える。また、製本装置１０４に合紙を挿入するためのインサート装置１０８、本画像形成システム１００の操作表示部１０９を備える。また、製本装置１０４はシート整合部１１６を有する。
【００１３】
画像読取装置１０１で読み取られた画像データは、画像形成装置１０３に送られ、給紙装置１０２によって搬送されたシートＳに画像が形成される。画像が形成されたシートＳは製本装置１０４及び仕分け収納装置１０５に搬送されて製本され、又は製本後、仕分けされる。
【００１４】
第２紙紋検知ユニット１０７は、製本装置１０４のシート整合部１１６に配置され、画像形成装置１０３で画像が形成されないシートが製本完成品の表紙となる場合でも、製本されるシートの表紙又は裏表紙の紙紋を確実に検知できるようになっている。ここで、画像形成装置１０３で画像が形成されないシートが製本完成品の表紙となる場合とは、インサート装置１０８から搬送されるシートが製本完成品の表紙になる場合である。つまりこの表紙になるシートは、画像形成装置１０３の内部を通過しない。
【００１５】
図２は、図１における操作表示部の構成図である。
【００１６】
操作表示部１０９は、プリントの設定情報（コピー倍率、色指定、枚数、原稿モード等）を表示させるためのＬＣＤ表示部１１０を有する。また、コピー動作の開始を指示するためのコピーボタンと個人の特定情報（指の静脈情報や表面形状）を読み取るボタンが共用されたスタートキー１１１を有する。
【００１７】
次に、図３乃至図６を参照して、本発明の画像形成システム１００の処理動作を説明する。
【００１８】
図３は、オンライン接続された図１の画像形成システムの制御ブロック図である。
【００１９】
システムコントローラ４００は、ネットワークで通信を行う通信部４０１と、画像形成システム全体を制御するＣＰＵ（制御手段）４０２と、メモリ部４０３及び画像処理部４０４を備える。
【００２０】
システムコントローラ４００は、シート固有情報読取手段（第１紙紋検知ユニット）１０６を内蔵した画像読取装置１０１、給紙装置１０２、画像形成装置１０３、シート固有情報読取手段（第２紙紋検知ユニット）１０７を内蔵した製本装置１０４に接続される。
【００２１】
また、システムコントローラ４００は、仕分け収納装置１０５、インサート装置１０８、操作表示部１０９と接続されると共に、ネットワークを介してホストサーバ３００と接続されている。
【００２２】
ホストサーバ３００は、ネットワークで通信を行う通信部３０１と、ＩＤ照合部３０２及び画像データのメモリ部３０３を内蔵し、ネットワークを介してクライアントＰＣ２００と接続されている。
【００２３】
図４は、図３の画像形成システムによって実行される紙紋認証処理の第１の手順を示すフローチャートである。
【００２４】
本処理は、図３におけるシステムコントローラ４００によって実行される。
【００２５】
具体的には、図４は、ネットワークで接続されたクライアントＰＣ２００からオリジナルデータを製本する際のフローを示している。
【００２６】
まず、オペレータ（操作者）は、クライアントＰＣ２００からネットワーク及びホストサーバ３００を介してシステムコントローラ４００に製本コマンドを送信する。この時、製本データ及び該製本データと関連付けて個人認証データ（個人認証情報）或いは出力権限をホストサーバ３００内のメモリ部３０３保存（格納）する。
【００２７】
製本コマンドを受信したシステムコントローラ４００は、給紙装置１０２、画像形成装置１０３、製本装置１０４にプリントスタートの信号を送る（ステップＳ１００）。次に、製本装置１０４のシート整合部１１６上に搬入された表紙（製本完成品の最上紙になるシート）の紙紋（シート固有情報；ＩＤ）をシート固有情報読取手段１０７で読み取る（ステップＳ１０１）。シート固有情報読取手段の詳細は後述する。
【００２８】
表紙のＩＤ読み取り後、ＩＤをメモリ部４０３に記憶させると共に、ネットワークを介してホストサーバ３００内のメモリ部３０３に前記製本データと関連づけて保存（格納）する（ステップＳ１０２）。シートのＩＤ保存後、製本処理を行って（ステップＳ１０３）、本処理は終了となる。
【００２９】
図５は、図３の画像形成システムによって実行される紙紋認証処理の第２の手順を示すフローチャートである。
【００３０】
本処理は、図３におけるシステムコントローラ４００によって実行される。
【００３１】
具体的には、図５は、オリジナル製本完成品を元に再度オリジナルを出力する際のフローを示している。
【００３２】
まず、オペレータ（操作者）は、操作表示部１０９で個人の特定を行う（ステップＳ２００）。ここでは、オペレータがプリントを開始する際に、スタートキー１１１を押下すると同時に個人の特定手段としての読み取りボタンによって個人の特定情報（指の静脈情報或いは表面形状）の読み取りを行う。
【００３３】
次に、原稿台に載置された製本完成品のＩＤ（シート固有情報）をシート固有情報読取手段１０６で読み取る（ステップＳ２０１）。
【００３４】
次に、個人認証とＩＤ照合を行う。（ステップＳ２０２）。ここでは、読み取った個人特定データ（個人認証情報）及びシートのＩＤが、データベースとしてのホストサーバ３００のメモリ部３０３に登録されているか否かをＩＤ照合部３０２で判断する。
【００３５】
個人特定データとオリジナル製本データの出力権限とが照合され、かつ、シートのＩＤデータが前記オリジナル製本データと一致した場合には（ステップＳ２０２／ＹＥＳ）、ステップＳ２０３に移行する。そして、ステップＳ２０３において、ホストサーバ３００内のメモリ部３０３に保存されている製本データのプリントをスタートする。
【００３６】
次に、プリントされ、製本装置１０４のシート整合部１１６上に搬入された表紙（製本完成品の最上紙）の紙紋（シート固有情報；ＩＤ）をシート固有情報読取手段１０７で読み取る（ステップＳ２０４）。
【００３７】
シート固有情報読取手段１０７による表紙のＩＤ読み取り後、ＩＤをメモリ部４０３に記憶させると共に、ネットワークを介してホストサーバ３００内のメモリ部３０３に製本データ及び個人認証結果と関連づけて保存する（ステップＳ２０５）。シートのＩＤ及び個人認証データの保存後、製本処理を行って（ステップＳ２０６）、本処理は終了となる。
【００３８】
また、個人認証データにオリジナル製本データの出力権限がない場合、或いはシートのＩＤデータがオリジナル製本データと一致しない場合には（ステップＳ２０２／ＮＯ）、本処理は終了となる。
【００３９】
次に、シート固有情報読取手段１０６及びシート固有情報読取手段１０７について詳細説明をする。
【００４０】
図６は、図１における画像読取装置に搭載されるシート固有情報読取手段（第１紙紋検知ユニット）の構成図である。
【００４１】
本構成のシート固有情報読取手段１０６は、レーザスペックルを利用した読取手段である。レーザスペックルとは、レーザ散乱による干渉パターン（強め合い、弱め合い）による干渉模様である。レーザ光という波長・位相が揃っている光を反射する際に、反射する物質表面の微妙な凹凸による光の干渉を生じるためにランダムな小斑点が観測される。
【００４２】
図６において、レーザ光６０３は、レーザ光源６０１とレーザ光源６０１からのレーザ光を平行光にするためのコリメータレンズ６０２によって生成されている。原稿台ガラスＧを通過して製本完成品Ｂの表紙Ｓ１に照射されたレーザ光６０３は、表紙Ｓ１の表面に生じる微妙な凹凸による光の干渉からなるコヒーレント光を反射して、干渉態様反射光６０７を生成する。
【００４３】
生成された干渉態様反射光６０７は、結像レンズ６０８を介してイメージセンサ６０９に入射（受光）させる。イメージセンサ６０９は、ＣＣＤやＣＭＯＳエリアセンサといった２次元のイメージエリアセンサから構成されており、レーザ光６０３の波長に対応した波長感度を有するものである。
【００４４】
また、図６のレーザ光源６０１、コリメータレンズ６０２、結像レンズ６０８及びイメージセンサ６０９は、１つのレーザスペックル観測用ユニットとして一体となっている。
【００４５】
図７は、図６のシート固有情報読取手段の制御ブロック図である。
【００４６】
図７に示すように、レーザ照射手段としてのレーザ光源６０１は、ＣＰＵ４０２によって制御され、イメージセンサ６０９で読み取られた干渉態様反射光６０７を画像処理部４０４で２値化処理するようになっている。
【００４７】
レーザのコヒーレント光によって得られる干渉態様は、観察時或いは検出時にスペックル（小斑点）と呼ばれる明暗態様のパターンからなっている。個別の小斑点の寸法は主に、入射光の波長、レーザビームの直径、及び反射面からの観察者又はフォトセンサの距離、等の幾つかのデバイスパラメータからなる関数である。
【００４８】
波長、レーザ直径、及び表面からの検出器距離、のパラメータを一定に保ったときに、各小斑点の幅が、事実上、システムの構成によって決まる当該寸法に関する統計的平均となると仮定することができる。各小斑点の幅の代わりに、小斑点長、小斑点間距離、２つの小斑点の先端間距離、又は２つの小斑点の後縁間距離、等の他の適当なパターン態様寸法でもよい。平均的な小斑点寸法については、
平均的な小斑点寸法＝λ・Ｒ／ｄ          （１）
となることが知られている。
【００４９】
但し、λは波長であり、Ｒは反射点からの距離であり、ｄはビーム直径である。
【００５０】
式（１）が示すように、使用するレーザビームをより厳密に限定すれば、５〜１０ミクロンの大きさのガウス平均を持った小斑点を生成することが可能である。つまり、シート表面の微妙な凹凸に対しても、小斑点の分布が顕著に確認できるのである。
【００５１】
イメージセンサ６０９は、これら個々の小斑点の分布が観測できるような読取画素を必要とする。イメージセンサ６０９の読み取り画素サイズを小さくできない際には、結像レンズ６０８の前後に拡大するためのレンズを追加して拡大させて、白板表面の凹凸により干渉縞を判別するに必要な解像度になるように下から読み込ませることも可能である。
【００５２】
図８は、図１における製本装置に搭載されるシート固有情報読取手段（第２紙紋検知ユニット）の構成図である。
【００５３】
図８において、シート固有情報読取手段（第２紙紋検知ユニット）１０７は、製本装置
１０４のシート整合部１１６の下方に配置される。
【００５４】
本構成のシート固有情報読取手段１０７も、レーザスペックルを利用した読取手段である。レーザ光７０３は、レーザ光源７０１とレーザ光源４０１からのレーザ光を平行光にするためのコリメータレンズ７０２によって生成されている。
【００５５】
レーザ光７０３は、シート整合部１１６の整合トレイ部１１７の底部に形成されたレーザ光通過用の開口から製本されるシートの表紙Ｓ２に照射され、表紙の表面に生じる微妙な凹凸による光の干渉からなるコヒーレント光を反射する。そして、干渉態様反射光７０７を生成する。
【００５６】
生成された干渉態様反射光７０７は、結像レンズ７０８を介してイメージセンサ７０９に入射させる。イメージセンサ７０９は、ＣＣＤやＣＭＯＳエリアセンサといった２次元のイメージエリアセンサから構成されており、レーザ光７０３の波長に対応した波長感度を有するものである。
【００５７】
また、図８のレーザ光源７０１、コリメータレンズ７０２、結像レンズ７０８及びイメージセンサ７０９は、１つのレーザスペックル観測用ユニットとして一体となっている。
【００５８】
図７に示すように、レーザ照射手段としてのレーザ光源７０１はＣＰＵ４０２によって制御され、イメージセンサ７０９で読み取られた干渉態様反射光７０７を画像処理部４０４で２値化処理するようになっている。以下、上述した図６と同様の作用を有する。
【００５９】
図９は、図６又は図８のシート固有情報読取手段によって読み込まれた干渉態様の画像の一例を示す図である。
【００６０】
図９中の網掛けの小斑点は、レーザ光をシート積載面の端部に照射させ、そのコヒーレント光の反射により生成された干渉態様の画像である。図９の画像は、イメージセンサ６０９、７０９から得られた干渉態様を２値化処理して得られた模様である。
【００６１】
また、図９では、１４画素×１４画素のエリアで干渉態様を観測しているのであるが、これは説明を簡略化するための例であり、この画素数より多い画素数で読み込むことが可能であることはいうまでもない。
【００６２】
図１０は、図６又は図８のシート固有情報読取手段によって読み込まれた干渉態様の画像を画像データに付加するために必要な分散化処理の一例を示す図である。
【００６３】
干渉態様を画像データに付加する場合には、視覚上画像の劣化が著しく発生しないように肉眼では確認しづらいイエローを用いる。しかし、イエローといえども、ドットが密になっている部分においてはもちろん視覚上確認できてしまう。
【００６４】
そこで、干渉態様をイエローの画像データに付加する際には、干渉態様そのものではなく、干渉態様を分散化させて、疎なイエロードットとする。そうすることによって、画像データに付加した干渉態様の画像は、ユーザに視認させることがほとんどできず画像劣化を防ぐことができるのである。
【００６５】
図１０は、その分散化処理の一例であり、その基本的原理を説明する。読み込んだ干渉態様の画像が３画素×３画素の画像であったとする。この画像は、図１０中にあるように、それぞれの画素に１、２、３、・・・、９までアドレスを振る。
【００６６】
次に、この画像を９画素×９画素に拡大・分散化するのであるが、図１０中の９画素×９画素の中に予め割り振られた１、２、３、・・・、９に対応する画素にそれぞれ対応して分散化する。図１０に示し分散化画像に予め割り振られるアドレスは、あくまでも一例であり、割り振った位置は任意で設定して問題はない。
【００６７】
図１１は、図１０の分散化方法を用いて、図９で示した干渉態様を分散化した一例を示す図である。
【００６８】
ここでは、図９の１４画素×１４画素の画像を、図１１において４８画素×４８画素へと分散化した一例を示す。図９中の干渉態様画像に、ａ０〜Ｉ０、ａ１〜Ｉ１、ａ２〜Ｉ２、ａ３〜Ｉ３と３画素×３画素の画像で仕切りながらアドレスを振り分ける。
【００６９】
図９のように振り分けられたアドレスは、次に、４８画素×４８画素の分散化する画像の予め割り振られたアドレス値に入力される。ここでは、図１１の分散化する画像のアドレスの降り方について説明を加える。
【００７０】
まず、４８画素×４８画素を１６画素×１６画素ずつ９つのエリアに区切る。１６画素×１６画素のエリアのうち縦１、２画素エリアと横１、２画素エリアは、それぞれ、１６画素×１６画素で仕切られる４８画素×４８画素の９つエリアのどのエリアに相当するのかを示すためのアドレスを示すために用いられるエリアである。
【００７１】
図１２及び図１３によってそのアドレスを示す方法の一例を示す。
【００７２】
図１２に示すように、４８画素×４８画素を１６画素×１６画素毎のエリアに区切る。１６画素×１６画素のエリアのうち縦１、２画素エリアと横１、２画素エリアは、それぞれ、１６画素×１６画素で仕切られる４８画素×４８画素の９つエリアのどのエリアに相当するのかを示すためのアドレスを示すために用いられるエリアである。
【００７３】
まず、左上の１６画素×１６画素のエリアは、１４画素×１４画素のａの画素が入力されるエリアである。次に中央上に位置する１６画素×１６画素のエリアは、１４画素×１４画素のｂの画像が入力されるエリアであり、以下、右上の１６画素×１６画素のエリアは、１４画素×１４画素のＣの画像を、・・・というように割り振られている。
【００７４】
ここで、図１３を用いて、１６画素×１６画素の左から縦２列、横を上から２列を使った各エリアのアドレス表記について説明する。
【００７５】
図１３（ａ）は、４８画素×４８画素の左上の１６画素×１６画画素を表している。この図の左上隅の縦２画素×２画素が示す模様は、１６画素×１６画素の向きを表している。次に、左より２列と縦２画素目に作られる２画素の画像は、ここが１６画素×１６画素で形成される４８画素×４８画素の９つエリアの左１列に属するものであることを示すものである。
【００７６】
また、上から縦２列の横３画素以降に画像（ドット）がないが、これが１６画素×１６画素で形成される４８画素×４８画素の９つエリアの縦１列に属しているということを示している。
【００７７】
これによって、図１３の（ａ）は、１６画素×１６画素で形成される４８画素×４８画素の９つエリアの左１列目であり縦１列目に属しているということが判明するのである。このようにして、他の（ｂ）、（ｃ）、・・・、（ｉ）までのアドレスが判明できるように画像データが作られている。
【００７８】
ここで再び図１１の説明に戻ると、左上の１６画素×１６画素のアドレス判定用に使われる縦２列、横２列を除いた残り１４画素×１４画素が、図１１の画像ａのアドレスに相当する部分を分散化表示させるエリアに割り当てられている。
【００７９】
図１１中にあるように、図９中のａ０、ａ１、ａ２、ａ３は、それぞれ、図１１中のａ０、ａ１、ａ２、ａ３に割り当てられて画像が分散化させる。このようにして、図９の他の画素も分散化表示させることによって、図１１の分散化された画像が形成されるのである。
【００８０】
この画像は上記分散化のルールを知っているならば、この画像が埋め込まれた出力画像を読み込んだ際には、シートから読み取った干渉態様が正確に再現される。そのため、この模様を読み取ることによって製本完成品がオリジナルの画像情報を有するものかどうかを判定することができる。
【００８１】
本実施の形態によれば、製本完成品のオリジナル画像データのファイル名や保存フォルダが不明な場合や確認困難な場合でも、表紙とオリジナル原稿の出力権限さえあればオリジナルの出力を確実にすることができる。また、オリジナルデータが改編されている場合でも、出力権限さえあれば原稿自体が旧バージョンであっても最新データを出力することができる。それは一部が落丁している場合、或いはインサータ等の合紙が表紙に使用された場合でも同様である。
【００８２】
本実施の形態では、シートの固有情報として紙紋を用いたが、シートの固有情報としてバーコードやＱＲコード等のマークを製本完成品の表紙にマーキングすることでも同様の効果を得ることができる。
【００８３】
マークをシートの固有情報として使用する場合は、シート固有情報読取手段は、マーキング手段によるマーク情報を読み取り、マーク情報特定する。マークは、ＢＪや刻印機等の印字装置或いは本発明の画像形成装置１０３で印字することができる。
【００８４】
また、本実施の形態では、処理動作の中に個人認証のフローを含んでいるが、個人認証の必要がない場合には省くことができるのは言うまでもない。
【００８５】
本実施の形態では、製本の画像データ及び個人認証データの記憶及びデータの照合をホストサーバ３００内のＩＤ照合部３０２及びメモリ部３０３で行っている。しかし、ホストサーバ３００との通信を行わない場合には、システムコントローラ４００内のメモリ部４０３内の製本の画像データ及び個人認証データを、ＣＰＵ４０２にて照合を行ってもよい。
【００８６】
また、本発明が適用される製本装置としては、包み製本装置、糊付け製本装置、ステイプル装置、リングバインド装置等が適用される。
【図面の簡単な説明】
【００８７】
【図１】本発明の実施の形態に係る画像形成システムの構成図である。
【図２】図１における操作表示部の構成図である。
【図３】オンライン接続された図１の画像形成システムの制御ブロック図である。
【図４】図３の画像形成システムによって実行される紙紋認証処理の第１の手順を示すフローチャートである。
【図５】図３の画像形成システムによって実行される紙紋認証処理の第２の手順を示すフローチャートである。
【図６】図１における画像読取装置に搭載されるシート固有情報読取手段（第１紙紋検知ユニット）の構成図である。
【図７】図６のシート固有情報読取手段の制御ブロック図である。
【図８】図１における製本装置に搭載されるシート固有情報読取手段（第２紙紋検知ユニット）の構成図である。
【図９】図６又は図８のシート固有情報読取手段によって読み込まれた干渉態様の画像の一例を示す図である。
【図１０】図６又は図８のシート固有情報読取手段によって読み込まれた干渉態様の画像を画像データに付加するために必要な分散化処理の一例を示す図である。
【図１１】図１０の分散化方法を用いて、図９で示した干渉態様を分散化した一例を示す図である。
【図１２】図１１の分散化方法で分散化する場合における画像アドレスの振り分け方の説明図である（その１）。
【図１３】図１１の分散化方法で分散化する場合における画像アドレスの振り分け方の説明図である（その２）。
【符号の説明】
【００８８】
１００  画像形成システム
１０１  画像読取装置
１０２  給紙装置
１０３  画像形成装置
１０４  製本装置
１０５  仕分け収納装置
１０６  第１紙紋検知ユニット（シート固有情報読取手段）
１０７  第２紙紋検知ユニット（シート固有情報読取手段）
１０８  インサート装置
１０９  操作表示部
４００  システムコントローラ
４０１  通信部
４０２  ＣＰＵ（制御手段）
４０３  メモリ部
４０４  画像処理部
【図１】
2008286867.tif 000003
【図２】
2008286867.tif 000004
【図３】
2008286867.tif 000005
【図４】
2008286867.tif 000006
【図５】
2008286867.tif 000007
【図６】
2008286867.tif 000008
【図７】
2008286867.tif 000009
【図８】
2008286867.tif 000010
【図９】
2008286867.tif 000011
【図１０】
2008286867.tif 000012
【図１１】
2008286867.tif 000013
【図１２】
2008286867.tif 000014
【図１３】
2008286867.tif 000015